(57)【要約】【課題】ダニ退治暖房装置の提供。【解決手段】この装置は、本体１と、本体１内に配置される回路板５及び回路板５と電気的に接続されるサクションモジュール２と、本体１の表面に設けられ、回路板５と電気的に接続される複数のボタン３と、手持ちユニット４とを備えて構成され、本体１は基板１１、吸気孔付きの上蓋１２、排気孔付きの下蓋１３を備えてなり、サクションモジュール２は吸気口及び排気口付きの筐体２１、筐体２１内に配置される車輪型ファン、モータ及び加熱ユニットを備えてなり、ダニ退治、吸塵及び暖房の機能を具備する。【選択図】図５
0003161384.tif 000002
【実用新案登録請求の範囲】
【請求項１】
本体（１）と、前記本体（１）内に配置され、吸排気機能及び加熱機能を持つサクションモジュール（２）と、前記本体（１）内に配置され、前記サクションモジュール（２）と電気的に接続される回路板（５）と、前記本体（１）の表面に設けられ、前記回路板（５）と電気的に接続される複数のボタン（３）とを備えて構成され、
前記本体（１）は、基板（１１）と、前記基板（１１）の上を覆い、その片側一方に吸気孔（１２１）を有する上蓋（１２）と、前記基板（１１）の下を覆い、その片側他方に排気孔（１３１）を有する下蓋（１３）とを備え、前記下蓋（１３）に、外部電源プラグに接続し、前記回路板（５）と電気的に接続される電源コンセント（１３２）を有し、
前記サクションモジュール（２）は、片側一方に前記吸気孔（１２１）に接続される吸気口（２１１）を有し、片側他方に前記排気孔（１３１）に接続される排気口（２１２）を有する筐体（２１）と、前記筐体（２１）内に前記吸気口（２１１）に近接して配置される車輪型ファン（２２）と、前記筐体（２１）内に配置され、前記車輪型ファン（２２）を回転駆動するためのモーター（２３）と、前記筐体（２１）内に前記排気口（２１２）に近接して配置される加熱ユニット（２４）とを備え、
前記ボタン（３）は、電源スイッチをオン／オフするためのボタンと、前記モーター（２３）の回転速度を制御するための複数のボタンと、前記加熱ユニット（２４）のオン／オフを制御するためのボタンとを備え、
ダニ退治機能を含み、掃除機とヒーターを兼ねて使用される、
ことを特徴とするダニ退治暖房装置。
【請求項２】
下蓋（１３）の底部に、本体（１）を支持するための複数の支持脚（１４）を備え、前記各支持脚（１４）は上部両側に円柱（１４１）が設けられ、前記下蓋（１３）の底部に前記各支持脚（１４）を前記円柱（１４１）を介して内向きに回動可能に枢支し、かつ前記各支持脚（１４）を嵌め込み可能な複数のスロット（１５１）を有する外カバー（１５）が設けられて、前記各支持脚（１４）は前記外カバー（１５）の前記各スロット（１５１）に起伏可能に取り付けられることを特徴とする請求項１に記載のダニ退治暖房装置。
【請求項３】
上蓋（１２）の上部に、芳香液を入れるための貯槽（１２２）と、芳香液がこぼれ出ないようにするための槽蓋（１２３）とを備え、前記貯槽（１２２）の底部とサクションモジュール（２）の筐体（２１）との間に精油ダクト（１２４）がつなげられることを特徴とする請求項１に記載のダニ退治暖房装置。
【請求項４】
筐体（２１）の排気口（２１２）側に温度制御ユニット（２５）が設けられて、前記温度制御ユニット（２５）と精油ダクト（２４）が接続され、前記温度制御ユニット（２５）は、温度７５度以上になると自動的にオフになり、液体が蒸発し続けないようにすることを特徴とする請求項３に記載のダニ退治暖房装置。
【請求項５】
上蓋（１２）の吸気孔（１２１）に吸塵ジョイントモジュール（１７）が接続され、筐体（２１）の排気口（２１２）と下蓋（１３）の排気孔（１３１）との間に布団乾燥ダクト（１９）が接続されることを特徴とする請求項１に記載のダニ退治暖房装置。
【請求項６】
吸塵ジョイントモジュール（１７）は、上蓋（１２）の吸気孔（１２１）に差し込まれる集塵ダクト（１７１）と、前記集塵ダクト（１７１）の開口端に設けられるジョイント（１７２）と、前記集塵ダクト（１７１）と前記ジョイント（１７２）との間に配置されるフィルターネット（１７３）とからなり、前記ジョイント（１７２）に吸塵用の吸塵ダクト（１７４）が接続されることを特徴とする請求項５に記載のダニ退治暖房装置。
【請求項７】
上蓋（１２）の吸気孔（１２１）にエアフィルター蓋（１６）が接続され、筐体（２１）の排気口（２１２）と下蓋（１３）の排気孔（１３１）との間にエアフィルターネット蓋（１８）が接続されることを特徴とする請求項１に記載のダニ退治暖房装置。
【請求項８】
加熱ユニット（２４）は、電熱シート、電熱コイル、電熱ダクト、セラミック発熱体のいずれかから選択されることを特徴とする請求項１に記載のダニ退治暖房装置。
【請求項９】
本体（１）の上蓋（１２）に開口（１２５）が形成されて、当該開口に手持ちユニット（４）が出入可能に、かつ前記開口（１２５）内で基板（１１）に設けられたリミットブロック（１１１）と、前記手持ちユニット（４）の底部に前記基板（１１）のリミットブロック（１１１）に合せて設けられたスライド溝（４１）との係合により、前記開口（１２５）内で位置移動を制御され、かつ前記開口（１２５）から抜けないように設けられることを特徴とする請求項１に記載のダニ退治暖房装置。
【請求項１０】
基板（１１）の外周縁に環状発光部（１１２）が設けられ、当該環状発光部（１１２）は内部に複数のＬＥＤプラスチックゴム管が内蔵され、回路板（５）と電気的に接続されることを特徴とする請求項１に記載のダニ退治暖房装置。
【考案の詳細な説明】
【技術分野】
【０００１】
本考案はダニ退治暖房装置に関する。
【背景技術】
【０００２】
ダニは、湿気が多く暗いところに生息し、特に、布団、枕などで繁殖しやすい。しかし、ダニは体が小さく、肉眼では簡単に見ることができず、退治も困難であるが、５５℃以上の高温でダニを退治できるので、天日や高温乾燥でダニを駆除することができる。また、従来から、吸塵器や掃除機などを使って、ダニの駆除やその排泄物の掃除が行われている（特許文献１参照）。
【先行技術文献】
【特許文献】
【０００３】
【特許文献１】実用新案登録第３１１７５２１号公報
【考案の概要】
【考案が解決しようとする課題】
【０００４】
ところで、ダニを駆除したりその排泄物を掃除したりするのに、従来から吸塵器が使用されているが、その効果は限られている。そこで、どのような吸塵器を使用すれば、ダニを有効に退治、駆除できるのか、それが本考案の改善すべき一つ目の課題である。また、従来の掃除機はヒーター機能を兼ねて使用することはできないが、もし、一台で掃除機能とヒーター機能の２機能を持っているならば、使用者はこのようなツーインワンの機能を楽しむことができる。そこで、この２つの機能をどのように一つにするか、それが本考案の改善すべき二つ目の課題である。従来の掃除機とヒーターの外観が単調できれいでないものなら、室内に置かれても、邪魔者になりがちである。そこで、掃除機とヒーターにどのようにしてきれいで滑らかなラインを持つ外観を作り上げるか、それが本考案の改善すべき三つ目の課題である。従来のヒーターは、温かい風の吸気・排気機能を持っているが、その暖かい風は香気がなく、室内で芳香効果が生じない。そこで、ヒーターにどのようにして芳香効果を生じさせるか、それが本考案の改善すべき四つ目の課題である。
【０００５】
本考案は、上述の課題を解決し得るダニ退治暖房装置を提供すること、を目的とする。
【課題を解決するための手段】
【０００６】
上記の課題を解決するために、本考案のダニ退治暖房装置は、本体（１）、本体（１）内にあり、吸排気と加熱機能を持つサクションモジュール（２）、本体（１）内にあり、サクションモジュール（２）と電気的に接続される回路板（５）、及び本体（１）の表面に設けられ、回路板（５）と電気的に接続されている複数のボタン（３）を備えてなるダニ退治暖房装置であり、該本体（１）は、基板（１１）、基板（１１）の上を覆い、その片側に吸気孔（１２１）がある上蓋（１２）、基板（１１）の下を覆い、他方側に排気孔（１３１）がある下蓋（１３）を備えてなり、該下蓋（１３）は、外部電源プラグに接続し、回路板（５）と電気的に接続されている電源コンセント（１３２）が設けられており、該サクションモジュール（２）は、片側に吸気口（２１１）と吸気孔（１２１）が接合し、他方側に排気口（２１２）と排気孔（１３１）が接合した筐体（２１）、筐体（２１）内にあり、吸気孔（１２１）に近い車輪型ファン（２２）［タービンブレード］、筐体（２１）内にあり、車輪型ファン（２２）を回転させるように駆動するためのモーター（２３）、及び筐体（２１）内にあり、排気口（２１２）に近い加熱ユニット（２４）から備わっており、また、該ボタン（３）は、電源スイッチオン／オフボタン、控制モーター（２３）の回転速度を制御するための複数のボタン、加熱ユニット（２４）のオン／オフを制御するためのボタンが含まれているが、ボタン（３）で本体（１）を掃除機またはヒーターを兼ねて使用されることを制御するように設けられていることを要旨とする。
【０００７】
また、このダニ退治暖房装置は、さらに次のような構成を備えることが好ましい。
［１］該下蓋（１３）の底部に、等角に分布している複数の支持脚（１４）があり、該支持脚（１４）の上部の両側には、円柱（１４１）と下蓋（１３）とが接合し、下蓋（１３）の底部には更に外カバー（１５）があり、該外カバー（１５）の底部は、支持脚（１４）に合わせて嵌め込ませるように設けられる複数のスロット（１５１）があり、それによって、支持脚（１４）を伸ばしたら抜けさせるようにする。
［２］該上蓋（１２）の上部に、芳香液を入れるための貯槽（１２２）、芳香液をこぼれださせないようにするための槽蓋（１２３）があり、該貯槽（１２２）の底部につながっている精油ダクト（１２４）があり、該精油ダクト（１２４）の他方側は、サクションモジュール（２）の筐体（２１）につながっている。
［３］該筐体（２１）上部の排気口（２１２）側には、精油ダクト（２４）と接合している温度制御ユニット（２５）があり、該温度制御ユニット（２５）は、温度７５度以上になると自動的にオフになって、液体を蒸発し続けさせないようにする。
［４］該吸気孔（１２１）は、吸塵ジョイントモジュール（１７）と接合し、筐体（２１）の排気口（２１２）は、布団乾燥ダクト（１９）とつないでおり、該布団乾燥ダクト（１９）の他方側は、排気孔（１３１）と接合している。
［５］該吸塵ジョイントモジュール（１７）は、吸気孔（１２１）に差し込んだ集塵ダクト（１７１）、集塵ダクト（１７１）の開口側にあるジョイント（１７２）、集塵ダクト（１７１）とジョイント（１７２）の間にあるフィルターネット（１７３）を備えてなり、該ジョイント（１７２）は更に、吸塵用の吸塵ダクト（１７４）に接合される。
［６］該吸気孔（１２１）はエアフィルター蓋（１６）と接合、筐体（２１）の排気口（２１２）はエアフィルターネット蓋（１８）と接合、該エアフィルターネット蓋（１８）の他方側は排気孔（１３１）と接合している。
［７］該加熱ユニット（２４）は、電熱シート、電熱コイル、電熱ダクト、セラミック発熱体のいずれかの一つである。
［８］該本体（１）は手持ちユニット（４）があり、該上蓋（１２）には、手持ちユニット（４）が出入りするための開口（１２５）があり、該手持ちユニット（４）の底部には、基板（１１）にあるリミットブロック（１１１）に合わせて設けられたスライド槽（４１）があり、該リミットブロック（１１１）は、手持ちユニット（４）の位置移動を制御し、本体（１）から抜けさせないように設けられている。
［９］該基板（１１）の外周縁に環状発光部（１１２）があり、そして、回路板（５）と電気的に接続されているが、該リング状発光部（１１２）は、内部に複数のＬＥＤプラスチックゴム管が内蔵されている。
【考案の効果】
【０００８】
本考案は、上記の構成により、次のような効果を奏する。すなわち、吸気孔（１２１）とエアフィルター蓋（１６）が接合したとき、空気をエアフィルター蓋（１６）内の活性炭フィルターに通らせて、空気をよりきれいにすることができる。吸気孔（１２１）を吸塵ジョイントモジュール（１７）に接合したとき、埃りなどを集塵ダクト（１７１）とフィルターネット（１７３）内に集めることができる。排気孔（１３１）とエアフィルターネット蓋（１８）が接合したとき、高温を通ったアレルギー源を遮断し、ダニやその排泄物を再び室内の空気へ流れ込ませないようにすることができる。排気孔（１３１）と布団乾燥ダクト（１９）が接合したとき、耐熱エアパッド（６）で、温かい風を布団、枕またはベッドシートの内へ流れ込ませ、布団や枕を温めて、寒い夜でも使用者に暖かい布団を掛けることができる。また、温かい風の温度を上げて、ダニやダニの卵を駆除することができる。このように吸気孔（１２１）と排気孔（１３１）が接合する部品により、異なった機能が生まれ、使用者の多様なニーズを満足させることができる。
【図面の簡単な説明】
【０００９】
【図１】本考案の一実施の形態におけるダニ退治暖房装置を示す斜視図
【図２】同ダニ退治暖房装置の特に上蓋の吸気孔にエアフィルター蓋が接続されたときの状態を示す斜視図
【図３】同ダニ退治暖房装置の特に上蓋の吸気孔にエアフィルター蓋が接続されたときの状態を示し、また支持脚の収納形態を示す斜視図  同電気式ウォーターポットの特に加熱装置を示す分解斜視図
【図４】同ダニ退治暖房装置の特に基板の外周縁に設けられた環状発光部を示す側面図
【図５】同ダニ退治暖房装置の特に上蓋の吸気孔にエアフィルター蓋が接続される場合の装置全体の構成を示す分解斜視図
【図６】同ダニ退治暖房装置の特にサクションモジュールの構成を示す分解斜視図
【図７】同ダニ退治暖房装置の特に上蓋の吸気孔に集塵ジョイントモジュールが接続されたときの状態を示す斜視図
【図８】同ダニ退治暖房装置の特に上蓋の吸気孔に集塵ジョイントモジュールが接続されたときの状態を示し、また支持脚の収納形態を示す斜視図
【図９】同ダニ退治暖房装置の特に上蓋の吸気孔に集塵ジョイントモジュールが接続される場合の装置全体の構成を示す分解斜視図
【図１０】同ダニ退治暖房装置に断熱エアパッドが使用された状態を示す斜視図
【図１１】同ダニ退治暖房装置に吸塵ダクトが接続された状態を示す斜視図
【考案を実施するための形態】
【００１０】
次に、この考案を実施するための形態について図を用いて説明する。図１及び図５に示すように、ダニ退治暖房装置は、本体１と、本体１内に配置され、吸排気機能と加熱機能を持つサクションモジュール２と、本体１内に配置され、サクションモジュール２と電気的に接続される回路板５と、本体１の表面に設けられ、回路板５と電気的に接続される複数のボタン３とを備えて構成される。
【００１１】
本体１は、図５に示すように、基板１１と、基板１１の上部に設けられ、基板１１の上を覆い、その片側一方に吸気孔１２１を有する上蓋１２と、基板１１の底部に設けられ、基板１１の下を覆い、その片側他方に排気孔１３１を有する下蓋１３とを備え、下蓋１３に、外部電源プラグに接続し、回路板５と電気的に接続される電源コンセント１３２を有する。図４に示すように、基板１１の外周縁には環状発光部１１２が設けられる。この場合、環状発光部１１２は内部に複数のＬＥＤプラスチックゴム管が内蔵され、回路板５と電気的に接続される。なお、このような発光ＬＥＤプラスチックゴム管は従来からよく知られている構造なので、ここではそれ以上述べないことにする。発光部１１２は、ボタン３の５機能に対応するために、ＬＥＤ発光モデルが異なり、例えば、５つの違った発光色、５つの違った発光順序、５つの違った点滅速度・頻度などがある。下蓋１３の外側の電源コンセント１３２が回路板５と電気的に接続されており、これが外部電源と接続されて、ダニ退治暖房装置が稼動される。図５に示すように、上蓋１２の上部には、液体、この場合、芳香液を入れるための貯槽１２２と、芳香液がこぼれ出ないようにするための槽蓋１２３とを備え、貯槽１２２の底部とサクションモジュール２の筐体２１との間に精油ダクト１２４がつなげられる。このようにして貯槽１２２内に精油を入れ、その底部の精油ダクト１２４で精油を筐体２１内へ流れるように導き、蒸発させることにより、温かい空気で、精油の香りを室内中に蒸発、拡散させるようにして、リラックスした心地よさを与えるようになっている。また、精油を使用しないときは、槽蓋１２３で、精油を空気中に蒸発させず、また、本体１を動かしているときに、精油をこぼさないようにすることができる。図５に示すように、下蓋１３の底部には、本体１を使用時にいずれかの方向へも傾けず、支持するための固定された少なくとも１つ又は複数の支持脚１４が設けられる。この場合、複数の支持脚１４が設けられ、各支持脚１４は上部両側に円柱１４１が設けられ、下蓋１３の底部に各支持脚１４を円柱１４１を介して内向きに回動可能に枢支し、かつ各支持脚１４を嵌め込み可能な複数のスロット１５１を有する外カバー１５が設けられて、図２及び図３に示すように、各支持脚１４は外カバー１５の各スロット１５１に抜けないようにして起伏可能に取り付けられる。したがって、支持脚１４を使用しないときは、支持脚１４を内向きに回動して、外カバー１５の底部へ回し、スロット１５１内に収納することができる。また、図５に示すように、この本体１には手持ちユニット４が設けられる。この場合、上蓋１２の後方に吸気孔１２１とは前後対称に手持ちユニット４が出入可能な開口１２５が形成され、この開口１２５内の両側所定の位置に対応する基板１１にリミットブロック１１１が設けられる。手持ちユニット４は基板１１に対向する底部の両側にリミットブロックが嵌合可能なスライド溝４１が設けられ、このスライド溝４１と基板１１のリミットブロック１１１との係合により、開口１２５内における手持ちユニット４の位置移動を制御されて移動時に左右に傾くことがなく、また開口１２５から抜けないように設けられる。この手持ちユニット４を本体１の横の開口１２５から引き出せば、使用者はこの装置を手で持つことができ、手持ちユニット４を使用しないときは、手持ちユニット４を開口１２５内に戻して本体１内に収納することができ、全体の見た目のよさを保つことができる。本体１はこのようにして構成され、図７乃至図９に示すように、この本体１の上蓋１２の吸気孔１２１に吸塵ジョイントモジュール１７が接続され、筐体２１の排気口２１２と下蓋１３の排気孔１３１との間に布団乾燥ダクト１９が接続されるようになっている。この場合、吸塵ジョイントモジュール１７は、図９に示すように、上蓋１２の吸気孔１２１に差し込まれる集塵ダクト１７１と、集塵ダクト１７１の開口端に設けられるジョイント１７２と、集塵ダクト１７１とジョイント１７２との間に配置されるフィルターネット１７３とからなり、図１１に示すように、ジョイント１７２に吸塵用の吸塵ダクト１７４が接続される。また、この本体１は、図５に示すように、上蓋１２の吸気孔１２１にエアフィルター蓋１６が接続され、筐体２１の排気口２１２と下蓋１３の排気孔１３１との間にエアフィルターネット蓋１８が接続されるようになっている。
【００１２】
サクションモジュール２は、図５及び図６に示すように、片側一方に上蓋１２の吸気孔１２１に対応し接続される吸気口２１１を有し、片側他方に排気孔１３１に対応し接続される排気口２１２を有する筐体２１と、筐体２１内に吸気孔１２１側に近接して配置される車輪型ファン２２［タービンブレード］と、筐体２１内に配置され、車輪型ファン２２に接続されて車輪型ファン２２を回転駆動するためのモーター２３と、筐体２１内に排気口２１２側に近接して配置される加熱ユニット２４とを有する。この場合、加熱ユニット２４は、電気エネルギーを熱エネルギーに変え、サクションモジュール２内に流れ込んだ空気を４０℃〜６０℃に加熱して、室内温度を有効に温かくし、温度５５℃以上になると、空気中のダニやダニの卵を退治する装置で、電熱シート、電熱コイル、電熱ダクト、セラミック発熱体のいずれかから選択される。また、この筐体２１の排気口２１２側には温度制御ユニット２５が設けられる。この温度制御ユニット２５は精油ダクト１２４（の他方側）と接続され、温度７５度以上になると自動的にオフになり、液体が蒸発し続けないようになっている。なお、この温度制御ユニット２５は従来よく知られている構造なので、ここではそれ以上述べないことにする。
【００１３】
ボタン３は、図１及び図５に示すように、電源スイッチをオン／オフするためのボタンと、サクションモジュール２のモーター２３の回転速度を制御するための複数のボタンと、サクションモジュール２の加熱ユニット２４のオン／オフを制御するためのボタンとを有する。この場合、ボタン３は全部で６つのボタンからなり、上蓋１２の上部に設けられて、回路板５とサクションモジュール２との電気的接続に使用される。この６ボタンのうち、一ボタンは特に働きはなく、その他の５ボタンは具体的に次のような機能を有している。１つ目のボタンは電源スイッチＯＮ／ＯＦＦボタンで、電源をオン又はオフする。２つ目のボタンは加熱ボタンで、加熱ユニット２４をオン又はオフする。３つ目のボタンは高速ボタンで、この高速ボタンを押すと、サクションモジュール２のモーター２３の回転速度が８０００ｒｐｍになり、加熱ボタンを合わせて使用すれば、サクションモジュール２からの排気が４０℃に制御され、これを使用することで室内温度を上げることができ、寒さを凌ぐことができる。４つ目のボタンは中速ボタンで、中速ボタンを押すと、モーター２３の回転速度が６０００ｒｐｍになり、加熱ボタンを合わせて使用すれば、サクションモジュール２からの排気が５０℃に制御され、耐熱エアパッド６と共に使用して、耐熱エアパッド６の上に布団や枕を置けば、複数の開口６１から温かい風が流れ込み、布団が温められ、使用者が寝るときに、心地よく利用できる。５つ目のボタンは低速ボタンで、低速ボタンを押すと、モーター２３の回転速度が４０００ｒｐｍになり、加熱ボタンを合わせて使用すると、サクションモジュール２からの排気が６０℃度以上に制御され、耐熱エアパッド６と共に使用して、耐熱エアパッド６の上に布団や枕を置けば、複数の開口６１から温かい風を流れ込み、１０〜１５分程で乾燥し、ダニとダニの卵を完全に退治することができる。
【００１４】
このようにしてこの装置は上蓋１２の吸気孔１２１にエアフィルター蓋１６又は吸塵ジョイントモジュール１７が接続されて、ダニ退治機能を含み、掃除機とヒーターを兼ねて使用される。吸気孔１２１にエアフィルター蓋１６が接続されると、空気を活性炭フィルターに通して、空気をよりきれいにすることができる。吸気孔１２１に吸塵ジョイントモジュール１７が接続されるときの構造と働きを、図７乃至図１１に示している。図７乃至図１１に示すように、吸気孔１２１に接続される吸塵ジョイントモジュール１７は、吸気孔１２１に差し込んだ集塵ダクト１７１と、集塵ダクト１７１の開口端に設けられるジョイント１７２と、これら集塵ダクト１７１とジョイント１７２の間に配置されるフィルターネット１７３とからなり、ジョイント１７２に吸塵用の吸塵ダクト１７４が接合されて、埃や小物などを自動的に集塵ダクト１７１とフィルターネット１７３内に集めることができる。
【００１５】
また、下蓋１３の排気孔１３１に、図５に示すエアフィルターネット蓋１８、又は図９に示す布団乾燥ダクト１９のいずれか一つが接続される。排気孔１３１にエアフィルターネット蓋１８が接続されると、高温を通してアレルギー源を遮断し、ダニやその排泄物を再び室内の空気へ流れ込ませないようにすることができる。排気孔１３１に布団乾燥ダクト１９が接続されると、耐熱エアパッド６で、５０℃の温かい空気を布団、枕またはベッドシートの内へ流し込み、布団や枕を温めて、寒い夜でも使用者に暖かい布団を掛けることができる。また、温度がもっと高い６０℃の温かい空気にすると、布団、枕またはベッドシートにいるダニやダニの卵を高温で駆除することができる。
【００１６】
以上説明したように、この装置によれば、上蓋１２の吸気孔１２１にエアフィルター蓋１６を接続することにより、空気をエアフィルター蓋１６内の活性炭フィルターに通して、空気をよりきれいにすることができる。この吸気孔１２１に吸塵ジョイントモジュール１７を接続することにより、埃りなどを集塵ダクト１７１とフィルターネット１７３内に集めることができる。下蓋１３の排気孔１３１にエアフィルターネット蓋１８を接続することにより、高温を通してアレルギー源を遮断し、ダニやその排泄物を再び室内の空気へ流れ込ませないようにすることができる。この排気孔１３１に布団乾燥ダクト１９を接続することにより、耐熱エアパッド６で、温かい風を布団、枕またはベッドシートの中へ流れ込ませ、布団や枕を温めて、寒い夜でも使用者に暖かい布団を掛けることができる。また、温かい風の温度を上げることで、ダニやダニの卵を駆除することができる。このようにして上蓋１２の吸気孔１２１と下蓋１３の排気孔１３１に接続する部品を変えることにより、異なった機能を生じせしめ、使用者の多様なニーズを満足させることができる。
【００１７】
以上、図に示した事例によって、本考案の構造、特性、役割と影響について詳しく説明した。上記は単に好ましい実施形態を示しただけのものであり、実用新案登録請求の範囲を限定することに用いるのではなく、本考案の意図と一致するすべての改変はすべて、本考案の実用新案登録請求の範囲に属するものである。
【符号の説明】
【００１８】
１  本体
１１  基板
１１１  リミットブロック
１１２  発光部
１２  上蓋
１２１  吸気孔
１２２  貯槽
１２３  槽蓋
１２４  精油ダクト
１２５  導口
１３  下蓋
１３１  排気孔
１３２  電源コンセント
１４  支持脚
１４１  円柱
１５  外カバー
１５１  スロット
１６  エアフィルター蓋
１７  吸塵ジョイントモジュール
１７１  集塵ダクト
１７２  ジョイント
１７３  フィルターネット
１７４  吸塵ダクト
１８  エアフィルターネット蓋
１９  ダクト
２  サクションモジュール
２１  筐体
２１１  吸気口
２１２  排気口
２１３  上筐体
２１４  下筐体
２１５  前筐体
２２  車輪型ファン
２３  モーター
２４  加熱ユニット
２５  温度制御ユニット
３  ボタン
４  手持ちユニット
４１  スライド槽
５  回路板
６  耐熱エアパッド
６１  開口
【図１】
0003161384.tif 000003
【図２】
0003161384.tif 000004
【図３】
0003161384.tif 000005
【図４】
0003161384.tif 000006
【図５】
0003161384.tif 000007
【図６】
0003161384.tif 000008
【図７】
0003161384.tif 000009
【図８】
0003161384.tif 000010
【図９】
0003161384.tif 000011
【図１０】
0003161384.tif 000012
【図１１】
0003161384.tif 000013